(57)【要約】 【課題】音響出力装置の近傍でその指により行うジェスチャを正確に認識し、ユーザが意図する動作をオーディオ機器に実行させる。【解決手段】操作検出装置２０は、イヤホン１１の近傍に装着される。操作検出装置２０の孔２２Ｆ，２２Ｂの背後には、焦電センサ２６Ｆ，２６Ｂが設けられ、その背後には制御部４０が設けられる。制御部４０は、焦電センサ２６Ｆ，２６Ｂの出力信号Ｖｏｕｔの波形に基づいてユーザのジェスチャｋを認識し、そのジェスチャｋに対応づけられた動作制御信号ＳＩＧ−ｋをオーディオプレーヤ９０へ供給する。【選択図】図１
2010258623.tif 000002
【特許請求の範囲】
【請求項１】
人間の頭部に装着される音響出力装置に設けられ、対象物の接近を検知するセンサと、
前記センサの出力信号波形が所定の波形パターンに該当するか否かを認識する認識手段と、
前記認識手段により前記センサの出力信号波形が所定の波形パターンに該当すると認識された場合に、前記音響出力装置を介して音響出力を行う機器に対する動作制御信号であって、前記所定の波形パターンに予め対応付けられた動作制御信号を出力する制御手段と
を具備することを特徴とする操作検出装置。
【請求項２】
前記センサは、焦電センサまたは静電容量センサであることを特徴とする請求項１に記載の操作検出装置。
【請求項３】
複数の前記センサが前記音響出力装置に設けられ、
前記複数のセンサの感知領域を各々の感知領域が重ならないように制限する感知領域制限手段
を具備することを特徴とする請求項１または２に記載の操作検出装置。
【請求項４】
複数の前記センサが前記音響出力装置に設けられ、
前記複数のセンサの各々と前記認識手段との間に各々介挿された複数のフィルタであって異なるカットオフ周波数を各々有する複数のフィルタ
を具備することを特徴とする請求項１または２に記載の操作検出装置。
【発明の詳細な説明】
【技術分野】
【０００１】
本発明は、オーディオ機器の動作を制御する技術に関する。
【背景技術】
【０００２】
オーディオ機器から再生される音楽等をイヤホンで聴いている場合、音量調整等を行うためには、オーディオ機器本体の操作パネルの操作あるいはリモコンの操作などが必要である。そのような操作は、操作パネルやリモコン上の各種のボタンを見ながらの作業になるため、音楽等を楽しんでいるユーザにとって煩わしい。そこで、特許文献１は、イヤホンの外面にタッチセンサを設け、このタッチセンサに対するタッチを検出してパーソナルオーディオシステムを制御する技術を開示している。
【先行技術文献】
【特許文献】
【０００３】
【特許文献１】特開２００６−５２４００３号公報
【発明の概要】
【発明が解決しようとする課題】
【０００４】
ところで、特許文献１に開示の技術において、イヤホンを装着したユーザは、イヤホンの外面に設けられたタッチセンサを見ることができないので、タッチセンサにタッチするのが困難である。また、特許文献１に開示の技術は、ユーザの指がタッチセンサにタッチするときにイヤホンが動くため、イヤホンの密閉性や安定性が損なわれるという問題があった。
この発明は、以上説明した事情に鑑みてなされたものであり、ユーザにとって操作が容易であり、かつ、操作に当たってイヤホン等の音響出力装置の装着状態を阻害しない操作検出装置を提供することを目的とする。
【課題を解決するための手段】
【０００５】
本発明は、人間の頭部に装着される音響出力装置に設けられ、対象物の接近を検知するセンサと、センサの出力信号波形が所定の波形パターンに該当するか否かを認識する認識手段と、認識手段によりセンサの出力信号波形が所定の波形パターンに該当すると認識された場合に、音響出力装置を介して音響出力を行う機器に対する動作制御信号であって、所定の波形パターンに予め対応付けられた動作制御信号を出力する制御手段とを具備する操作検出装置を提供する。
【０００６】
本発明では、イヤホンなどの音響出力装置に、対象物である指の近接を検知するセンサを設ける。そして、このセンサの出力信号の波形が所定の波形パターンに該当すると認識した場合に、その所定の波形パターンと予め対応づけられていた動作制御信号をオーディオ機器に出力する。よって、本発明によると、オーディオ機器のイヤホンの装着状態を阻害することなく、ユーザが音響出力装置の近傍でその指により行うジェスチャを正確に認識し、ユーザが意図する動作をオーディオ機器に実行させることができる。
【図面の簡単な説明】
【０００７】
【図１】本発明の一実施形態である操作検出装置が装着されたイヤホンユニットの外観を示す図である。
【図２】同操作検出装置の内部構成を示すブロック図である。
【図３】図１のＡ−Ａ’断面図である。
【図４】同操作検出装置に内蔵される焦電センサの動作原理を示す図である。
【図５】同操作検出装置に記憶されるパターンテーブルのデータ構成図である。
【発明を実施するための形態】
【０００８】
以下、図面を参照しつつ本発明の実施形態について説明する。
図１は、本発明の実施の形態である操作検出装置２０が装着されたイヤホンユニット１０の外観を示す図である。この操作検出装置２０は、ユーザの左耳にかける耳かけ式のイヤホンユニット１０に装着される。イヤホンユニット１０は、音響出力装置たるイヤホン１１の側面に耳かけアーム１２を接合したものである。耳かけアーム１２は耳殻に沿った形状の湾曲部１３を有しており、ユーザが耳かけアーム１２の湾曲部１３を自身の左耳に掛けると、その耳孔の真横の位置にイヤホン１１が保持される。操作検出装置２０は、耳かけアーム１２の湾曲部１３に固定される。操作検出装置２０の固定位置は、耳かけの妨げにならないように湾曲部１３の基端部近傍にすることが好ましい。また、操作検出装置２０は、耳かけアーム１２やイヤホン１１に着脱自在としてもよい。
【０００９】
イヤホン１１からはオーディオケーブル５１が引き出されている。オーディオケーブル５１はオーディオプレーヤ９０のオーディオ端子５３に接続される。イヤホン１１は、オーディオケーブル５１を介してオーディオプレーヤ９０から入力されるオーディオ信号を音に変換して出力する。
【００１０】
操作検出装置２０からはケーブル５２が引き出されている。ケーブル５２はオーディオプレーヤ９０のリモコン端子５４に接続される。操作検出装置２０は、ケーブル５２を介してオーディオプレーヤ９０へ動作制御信号ＳＩＧを供給し、その動作を制御する。
【００１１】
図２は、操作検出装置２０の筐体２１に内蔵されている各部の構成を示すブロック図である。また、図３は、図１に示す操作検出装置２０のＡ−Ａ’断面図である。操作検出装置２０の筐体２１における耳かけアーム１２に固定された面４１と反対側の面４２には、２つの孔２２Ｆ，２２Ｂが穿設されている。耳かけアーム１２をユーザの左耳にかけた場合において、孔２２Ｆはユーザから見て前方に、孔２２Ｂはユーザから見て後方に位置している。孔２２Ｆ，２２Ｂには各々集光レンズ２４Ｆ，２４Ｂが嵌め込まれている。また、筐体２１内における集光レンズ２４Ｆ，２４Ｂの背後には２つの焦電センサ２６Ｆ，２６Ｂが、それらの焦電センサ２６Ｆ，２６Ｂの背後には制御部４０が各々設けられている。
【００１２】
焦電センサ２６Ｆ，２６Ｂは、検知対象であるユーザの指の接近を検知する役割を果たすセンサである。焦電センサ２６Ｆ（２６Ｂ）は、赤外線信号を電気信号に変換して出力する。図４（Ａ）に示すように、焦電センサ２６Ｆ（２６Ｂ）は、焦電素子２７Ｆ（２７Ｂ）、抵抗Ｒ、およびＦＥＴ（Field Effect
Transistor）６３Ｆ（６３Ｂ）から構成されている。焦電素子２７Ｆ（２７Ｂ）の赤外線感知面２８Ｆ（２８Ｂ）とその裏面２９Ｆ（２９Ｂ）には各々電極６１Ｆ（６１Ｂ），６２Ｆ（６２Ｂ）が貼付されている。そして、電極６１Ｆ（６１Ｂ），６２Ｆ（６２Ｂ）はＦＥＴ６３Ｆ（６３Ｂ）のゲートとグランドに接続されている。また、ＦＥＴ６３Ｆ（６３Ｂ）のゲートとグランドの間には抵抗Ｒが介挿されている。そして、ＦＥＴ６３Ｆ（６３Ｂ）のドレインとグランドとの間には電源電圧Ｖｃｃが与えられ、ＦＥＴ６３Ｆ（６３Ｂ）のソースとグランドとの間の電圧が焦電センサ２６Ｆ（２６Ｂ）の出力信号Ｖｏｕｔとして取り出される。なお、焦電センサ２６Ｆ，２６Ｂにおいて、複数の焦電素子２７Ｆ（２７Ｂ）を直列につないでその出力電圧を大きくしてもよい。
【００１３】
ここで、焦電素子２７Ｆ（２７Ｂ）の表面は自発分極の状態にあるが、例えば図４（Ｂ）に示すように、焦電素子２７Ｆ（２７Ｂ）に対する赤外線の照射をＯＦＦ→ＯＮ→ＯＦＦという具合に切り換えると、図４（Ｂ）および（Ｃ）に示すように、赤外線の照射がＯＦＦからＯＮに切り換わったときに赤外線の吸収により焦電素子２７Ｆ（２７Ｂ）の温度Ｔｅｍｐが上昇し、自発分極の状態が変化して電荷の不平衡が生じる。また、図４（Ｂ）および（Ｃ）に示すように、赤外線の照射がＯＮからＯＦＦに切り換わったときに焦電素子２７Ｆ（２７Ｂ）の温度Ｔｅｍｐが低下し、自発分極の状態が変化して電荷の不平衡が生じる。従って、図４（Ｄ）に示すように、赤外線の照射量の変化に応じた電圧を焦電素子２７Ｆ（２７Ｂ）から出力信号Ｖｏｕｔとして取り出すことができる。
【００１４】
図３において、集光レンズ２４Ｆ，２４Ｂは、焦電センサ２６Ｆ，２６Ｂにおける赤外線の感知領域ＡＲ−Ｆ，ＡＲ−Ｂを重ならないように制限する役割を果たすレンズである。より具体的に説明すると、集光レンズ２４Ｆの光軸は面４２の法線方向よりも前に傾いている。集光レンズ２４Ｆは、ユーザの頭の斜め前の方向から到来する赤外線信号を焦電素子２７Ｆの赤外線感知面２８Ｆに導く。また、集光レンズ２４Ｂの光軸は面４２の法線方向よりも後ろに傾いている。集光レンズ２４Ｂは、ユーザの頭の斜め後ろの方向から到来する赤外線信号を焦電素子２７Ｂの赤外線感知面２８Ｂに導く。
【００１５】
図２において、制御部４０は、操作検出装置２０の制御中枢としての役割を果たす装置である。制御部４０は、曲の再生を開始させる動作制御信号ＳＩＧ−１、曲をスキップアップさせる動作制御信号ＳＩＧ−２、曲をスキップダウンさせる動作制御信号ＳＩＧ−３、曲の再生を停止させる動作制御信号ＳＩＧ−４、および電源をオン／オフさせる動作制御信号ＳＩＧ−５と各々対応づけられた以下の５種類のジェスチャｋ（ｋ＝１〜５）のいずれかがイヤホン１１近傍でユーザの指により行われたことを認識し、ジェスチャ（ｋ＝１〜５）のいずれかが行われたことを認識するたび、そのジェスチャｋと対応する動作制御信号ＳＩＧ−ｋをオーディオプレーヤ９０へ供給する。
【００１６】
ジェスチャ１.
このジェスチャでは、ユーザは、孔２２Ｆ，２２Ｂを前から後ろに横切らせるようにして１本の指（たとえば、人差指）を振る。
ジェスチャ２.
このジェスチャでは、ユーザは、孔２２Ｂ，２２Ｆを後ろから前に横切らせるようにして１本の指（たとえば、人差指）を振る。
ジェスチャ３．
このジェスチャでは、ユーザは、１本の指（たとえば、中指）により孔２２Ｆを覆い、そのまま孔２２Ｂの横でもう１本の指（たとえば、人差指）を複数回振る。
ジェスチャ４．
このジェスチャでは、ユーザは、１本の指（たとえば、人差指）により孔２２Ｂを覆い、そのまま孔２２Ｆの横でもう１本の指（たとえば、中指）を複数回振る。
ジェスチャ５．
このジェスチャでは、ユーザは、孔２２Ｆと孔２２Ｂを各々１本の指（たとえば、人差指と中指）で同時に覆う。
【００１７】
制御部４０の構成について詳述する。図２に示すように、制御部４０は、Ａ／Ｄ（Analog/Digital）変換部４１Ｆ，４１Ｂ、バンドパスフィルタ４２Ｆ，４２Ｂ、パターン記憶メモリ４３、パターン認識部４４、バッファ４５、および信号出力制御部４６を有する。Ａ／Ｄ変換部４１Ｆ，４１Ｂには、焦電センサ２６Ｆ，２６Ｂの出力信号Ｖｏｕｔが各々入力される。Ａ／Ｄ変換部４１Ｆは、焦電センサ２６Ｆの出力信号Ｖｏｕｔをデジタル形式のサンプルＳＡＭＦに変換して出力する。Ａ／Ｄ変換部４１Ｂは、焦電センサ２６Ｂの出力信号Ｖｏｕｔをデジタル形式のサンプルＳＡＭＢに変換して出力する。
【００１８】
パターン記憶メモリ４３は、前掲のジェスチャｋ（ｋ＝１〜５）を各々行ったときに焦電センサ２６Ｆおよび２６Ｂから得られる２相の出力信号の波形パターンＷＰ−ｋ（ｋ＝１〜５）と、各ジェスチャｋ（ｋ＝１〜５）に応じて発生する動作制御信号ＳＩＧ−ｋ（ｋ＝１〜５）とを対応付けるパターンテーブルを記憶している。図５（Ａ）〜（Ｅ）は、このパターンテーブルに定義された各ジェスチャｋ（ｋ＝１〜５）に対応した波形パターンＷＰ−ｋ（ｋ＝１〜５）を各々例示するものである。
【００１９】
ジェスチャ１では、指が孔２２Ｆの横を通過した時刻において焦電センサ２６Ｆの出力信号Ｖｏｕｔの波形ＷＦにピークが現れ、僅かに遅れて指が孔２２Ｂの横を通過した時刻において焦電センサ２６Ｂの出力信号Ｖｏｕｔの波形ＷＢにピークが現れる。よって、図５（Ａ）に示すように、波形パターンＷＰ−１は、各々１つのピークを有する波形ＷＦ，ＷＢを波形ＷＢの位相よりも波形ＷＦの位相を僅かに進めて重ねたものになっている。
【００２０】
また、ジェスチャ２では、指が孔２２Ｂの横を通過した時刻において焦電センサ２６Ｂの出力信号Ｖｏｕｔの波形ＷＢにピークが現れ、僅かに遅れて指が孔２２Ｆの横を通過した時刻において焦電センサ２２Ｆの出力信号Ｖｏｕｔの波形ＷＦにピークが現れる。よって、図５（Ｂ）に示すように、波形パターンＷＰ−２は、各々１つのピークを有する波形ＷＦ，ＷＢを波形ＷＦの位相よりも波形ＷＢの位相を僅かに進めて重ねたものになっている。
【００２１】
また、ジェスチャ３では、１本の指が孔２２Ｆを覆った時刻において焦電センサ２６Ｆの出力信号Ｖｏｕｔの波形ＷＦにピークが現れ、もう１本の指が孔２２Ｂの横を前後に往復するたびに焦電センサ２６Ｂの出力信号Ｖｏｕｔの波形ＷＢにピークが現れる。よって、図５（Ｃ）に示すように、波形パターンＷＰ−３は、１つのピークを有する波形ＷＦと複数のピークを有する波形ＷＢを重ねたものになっている。
【００２２】
また、ジェスチャ４では、１本の指が孔２２Ｂを覆った時刻において焦電センサ２６Ｂの出力信号Ｖｏｕｔの波形ＷＢにピークが現れ、もう１本の指が孔２２Ｆの横を前後に往復するたびに焦電センサ２６Ｆの出力信号Ｖｏｕｔの波形ＷＦにピークが現れる。よって、図５（Ｄ）に示すように、波形パターンＷＰ−４は、１つのピークを有する波形ＷＢと複数のピークを有する波形ＷＦを重ねたものになっている。
【００２３】
また、ジェスチャ５では、各々１本の指により孔２２Ｆと孔２２Ｂを同時に覆った時刻において焦電センサ２６Ｆの出力信号Ｖｏｕｔの波形ＷＦと焦電センサ２６Ｂの出力信号Ｖｏｕｔの波形ＷＢにピークが現れる。よって、図５（Ｅ）に示すように、波形パターンＷＰ−５は、１つのピークを有する波形ＷＦ，ＷＢを同位相で重ねたものになっている。
【００２４】
図２において、バンドパスフィルタ４２Ｆ，４２Ｂには、ジェスチャ１〜５が行われた場合における指の動きの周波数を含む帯域ＢＡＮＤの上限周波数ｆｃ１と下限周波数ｆｃ２が高域側カットオフ周波数および低域側カットオフ周波数として各々設定されている。バンドパスフィルタ４２Ｆは、Ａ／Ｄ変換部４１Ｆから出力されるサンプルＳＡＭＦ列における帯域ＢＡＮＤ内の周波数成分を選択してパターン認識部４４に出力する。バンドパスフィルタ４２Ｂは、Ａ／Ｄ変換部４１Ｂから出力されるサンプルＳＡＭＢ列における帯域ＢＡＮＤ内の周波数成分を選択してパターン認識部４４に出力する。
【００２５】
パターン認識部４４は、Ａ／Ｄ変換部４１Ｆ，４１Ｂからバンドパスフィルタ４２Ｆ，４２Ｂを介して出力されるサンプルＳＡＭＦ，ＳＡＭＢの列を重ねた２相波形が波形パターンＷＰ−ｋ（ｋ＝１〜５）のいずれかに該当するか否かを認識し、該当すると認識した波形パターンＷＰ−ｋと対応する動作制御信号ＳＩＧ−ｋの出力を信号出力制御部４６に指示する。
【００２６】
より具体的に説明すると、パターン認識部４４は、バンドパスフィルタ４２Ｆ，４２Ｂを通過したサンプルＳＡＭＦ，ＳＡＭＢをバッファ４５に各々書き込んでいき、サンプルＳＡＭＦ，ＳＡＭＢの列のうち一方が示す波形にピークが現れた場合に、バッファ４５からそのピークの時刻ｔを中心とする時間長Ｔ分のサンプルＳＡＭＦ，サンプルＳＡＭＢの列を読み出す。次に、パターン認識部４４は、パターンテーブルにおける波形パターンＷＰ−ｋ（ｋ＝１〜５）の各々とバッファ４５から読み出したサンプルＳＡＭＦ，ＳＡＭＢの列を重ねた２相波形との類似度を求め、波形パターンＷＰ−ｋ（ｋ＝１〜５）のうちサンプルＳＡＭＦ，ＳＡＭＢの列との類似度が最も大きい波形パターンＷＰ−ｋを該当候補として選択する。そして、パターン認識部４４は、該当候補とした波形パターンＷＰ−ｋにおける類似度が閾値Ｔｈよりも大きい場合、その波形パターンＷＰ−ｋが出現したとみなし、パターンテーブルにおいてその波形パターンＷＰ−ｋと対応づけられた動作制御信号ＳＩＧ−ｋを示すデータを信号出力制御部４６へ供給する。
【００２７】
信号出力制御部４６は、パターン認識部４４から動作制御信号ＳＩＧ−ｋを示すデータが供給されると、その動作制御信号ＳＩＧ−ｋをケーブル５２を介してオーディオプレーヤ９０へ供給する。
【００２８】
以上説明したように、本実施形態では、イヤホン１１の近傍に焦電センサ２６Ｆ，２６Ｂを設ける。そして、制御部４０は、これらの焦電センサ２６Ｆ，２６Ｂの出力信号Ｖｏｕｔの波形に基づいてユーザのジェスチャｋを認識し、そのジェスチャｋに対応づけられた動作制御信号ＳＩＧ−ｋをオーディオプレーヤ９０へ供給する。よって、ユーザは、イヤホン１１の装着姿勢を損なうことなくオーディオプレーヤ９０を操作することができる。
【００２９】
また、本実施形態では、操作検出装置２０の２つの孔２２Ｆ，２２Ｂの内側に２つの焦電センサ２６Ｆ，２６Ｂが設けられ、それらの焦電センサ２６Ｆ，２６Ｂの感知領域ＡＲ−Ｆ，ＡＲ−Ｂが、集光レンズ２４Ｆ，２４Ｂによって各々重ならないように制限されている。よって、孔２２Ｆ，２２Ｂの横を指が通過する順番を変えた２種類のジェスチャｋ（たとえば、上述のジェスチャ１とジェスチャ２）を別々のジェスチャｋとして正確に認識することができ、イヤホン１１の近傍の指の動きのみによって複雑な動作をオーディオプレーヤ９０に行わせることができる。
【００３０】
以上、この発明の一実施形態について説明したが、この発明には他にも実施形態があり得る。例えば、以下の通りである。
（１）上記実施形態において、操作検出装置２０による認識の対象となるジェスチャｋの種類は上述の５種類に限らない。たとえば、孔２２Ｆ，２２Ｂのうち一方を覆わずに他方を覆う動きや、一方を覆わずに他方の横で指を振る動きなどをジェスチャｋとして認識し、このジェスチャｋと対応づけられた動作制御信号ＳＩＧ−ｋをオーディオプレーヤ９０へ供給してもよい。また、孔２２Ｆ，２２Ｂのうち一方（たとえば、孔２２Ｆとする）の横で指を早く振った動きと遅く振った動きを別のジェスチャｋ（たとえば、指を早く振った動きをジェスチャ１１、指を遅く振った動きをジェスチャ１２とする）として認識し、ジェスチャ１１を認識したときはそのジェスチャ１１と対応づけられた動作制御信号ＳＩＧ−１１を、ジェスチャ１２を認識したときはそのジェスチャ１２と対応づけられた動作制御信号ＳＩＧ−１２をオーディオプレーヤ９０へ各々供給するようにしてもよい。この場合において、指を早く振ったか遅く振ったかは、サンプルＳＡＭＦやサンプルＳＡＭＢの列におけるピークの間隔から求めるとよい。
【００３１】
（２）上記実施形態において、ジェスチャｋが認識されたときのオーディオプレーヤ９０の制御の種類は、「再生」、「スキップアップ」、「スキップダウン」、「曲停止」、「電源オン／オフ」の５種類に限られない。たとえば、あるジェスチャｋが認識されたときに、「音量アップ」、「音量ダウン」、「一時停止」、「ミュート」などの動作を行わせる動作制御信号ＳＩＧ−ｋをオーディオプレーヤ９０に供給してもよい。
【００３２】
（３）上記実施形態では、バンドパスフィルタ４２Ｆ，４２Ｂにおける高域側カットオフ周波数はともに周波数ｆｃ１であり、バンドパスフィルタ４２Ｆ，４２Ｂにおける低域側カットオフ周波数はともに周波数ｆｃ２であった。しかし、バンドパスフィルタ４２Ｆ，４２Ｂのうち一方の高域側カットオフ周波数や低域側カットオフ周波数を他方のそれと異ならせてもよい。この場合において、焦電センサ２６Ｆは指の早い動きの認識用、焦電センサ２６Ｂは指の遅い動きの認識用、というように用途を分け、バンドパスフィルタ４２Ｆ，４２Ｂの高域側カットオフ周波数や低域側カットオフ周波数を各々の用途に応じて変えるようにするとよい。たとえば、指の早い動きとして取り扱う周波数が帯域ＢＡＮＤ’に含まれ、指の遅い動きとして取り扱う周波数が帯域ＢＡＮＤ’’に含まれる場合、バンドパスフィルタ４２Ｆには、帯域ＢＡＮＤ’の上限周波数ｆｃ１’と下限周波数ｆｃ２’を高域側カットオフ周波数および低域側カットオフ周波数として各々設定し、バンドパスフィルタ４２Ｂには、帯域ＢＡＮＤ’’の上限周波数ｆｃ１’’（ｆｃ１’’＜ｆｃ１’）と下限周波数ｆｃ２’’（ｆｃ２’’＜ｆｃ２’）を高域側カットオフ周波数および低域側カットオフ周波数として各々設定するとよい。これにより、孔２２Ｆの横での指の早い動きと孔２２Ｂの横での指の遅い動きを組み合わせたジェスチャｋをより正確に認識することができる。
【００３３】
（４）上記実施形態では、左耳用のイヤホン１１の近傍に２つの焦電センサ２６Ｆ，２６Ｂを設け、これらの焦電センサ２６Ｆ，２６Ｂの出力信号Ｖｏｕｔからジェスチャｋを認識した。しかし、左耳用のイヤホン１１の近傍と右耳用のイヤホン１１’の近傍に一組ずつ合計４つの焦電センサ２６を設けてもよい。この場合において、右耳用のイヤホン１１’の近傍に設けた焦電センサ２６Ｆ’，２６Ｂ’の出力信号Ｖｏｕｔを、左耳用のイヤホン１１の近傍に設けた焦電センサ２６Ｆ，２６Ｂの出力信号Ｖｏｕｔに対するリファレンスとして用いてもよい。この態様では、左耳側の焦電センサ２６Ｆの出力信号Ｖｏｕｔから右耳側の焦電センサ２６Ｆ’の出力信号Ｖｏｕｔを減算し、左耳側の焦電センサ２６Ｂの出力信号Ｖｏｕｔから右耳側の焦電センサ２６Ｂ’の出力信号Ｖｏｕｔを減算する。そして、制御部４０は、各々の減算信号を重ねた２層信号の波形が波形パターンＷＰ−ｋに該当した場合、その波形パターンＷｐ−kと対応づけられた動作制御信号ＳＩＧ−ｋをオーディオプレーヤ９０へ供給する。この態様によれば、左右の焦電センサ２６Ｆ（２６Ｂ）および２６Ｆ’（２６Ｂ’）が共通に検知する同相ノイズ成分を相殺し、左耳側の焦電センサ２６Ｆ（２６Ｂ）に対して行われた指のジェスチャを正確に検出することができる。
【００３４】
（５）上記実施形態では、音響再生のみを行うオーディオプレーヤ９０の動作の制御に本発明を適用した。しかし、音響再生のみを行う機器ではなく、イヤホン１１を介して音を出力するとともに、それに同期してビデオの再生を行うＤＶＤプレーヤ、ブルーレイディスクプレーヤ等の機器に本発明を適用してもよい。
（６）上記実施形態において、操作検出装置２０は、操作の対象となるオーディオ機器へ動作制御信号ＳＩＧ−ｋを無線区間を介して送信してもよい。
【００３５】
（７）上記実施形態では、イヤホン１１の近傍に操作検出装置２０を設けた。しかし、ヘッドホンなどの人間の頭部に装着して用いられる他の種類の音響出力装置に操作検出装置２０を設けてもよい。
（８）上記実施形態において、イヤホン１１などの音響出力装置と操作検出装置２０を一体に構成してもよいし、音響出力装置と操作検出装置２０を別体とし、音響出力装置に対して着脱可能な構成としてもよい。
【００３６】
（９）上記実施形態において、焦電センサ２６を静電容量センサによって置き換えてもよい。この場合において、制御部４０は、静電容量センサの出力信号波形が波形パターンｋに該当したときに、その波形パターンｋと対応づけられた動作制御信号ＳＩＧ−ｋをオーディオプレーヤ９０に供給するようにするとよい。
【符号の説明】
【００３７】
１０…イヤホンユニット、１１…イヤホン、１２…耳かけアーム、１３…湾曲部、２０…操作検出装置、２１…筐体、２２…孔、２４…集光レンズ、２６…焦電センサ、２８…赤外線感知面、２９…裏面、４０…制御部、４１…Ａ／Ｄ変換部、４２…バンドパスフィルタ、４３…パターン記憶メモリ、４４…パターン認識部、４５…バッファ、４６…信号出力制御部、５１…オーディオケーブル、５２…ケーブル、９０…オーディオプレーヤ。
【図１】
2010258623.tif 000003
【図２】
2010258623.tif 000004
【図３】
2010258623.tif 000005
【図４】
2010258623.tif 000006
【図５】
2010258623.tif 000007